(57)【要約】      （修正有）【課題】軽い押圧力で開閉に十分なデッドボルトの変位に増幅できるシーソーレバーを操作部材とするシーソーレバー式扉錠を提供する。【解決手段】デッドボルト１５は後部に進退方向に伸びるとともに後端側が下方となる長穴１６を有し、リンク機構が連結棒の移動に平行に追従し、デッドボルト側に係合用突起を備えた上下動リンク２０と、二辺が略「く」の形に配置され角部に回動支点軸３１を、また各辺にその長手方向に伸びる係合用長溝もしくは係合用長穴を備えた回動リンク３０と、一端部に第二の回動支点軸４１を、他端部にデッドボルトの長穴、もしくは長溝に係合する第一の凸部を、また回動支点軸４１と第一の凸部との間に回動リンク３０の長溝に係合する第二の凸部が形成され、第二の回動支点軸４１と第二の凸部とが線上に位置し、第二凸部が前記線上からずれている増幅リンク４０とからなる。【選択図】図３
0003191824.tif 000002
【実用新案登録請求の範囲】
【請求項１】
シーソーレバーの押圧操作により往復摺動する連結棒に係合する複数のリンク機構によりデッドボルトを進退させるシーソーレバー式扉錠であって、
前記デッドボルトは後部に進退方向に伸びるとともに後端側が下方となる長穴、もしくは長溝を有し、
前記リンク機構が連結棒の移動に平行に追従し、前記デッドボルト側に係合用突起を備えた上下動リンクと、
二辺が略「く」の形に配置され角部に第一の回動支点軸を、また各辺にその長手方向に伸びる係合用長溝もしくは係合用長穴を備えた回動リンクと、
一端部に第二の回動支点軸を、他端部に前記デッドボルトの長穴、もしくは長溝に係合する第一の凸部を、また前記第二の回動支点軸と第一の凸部との間に前記回動リンクの係合用長溝もしくは係合用長穴に係合する第二の凸部が形成され、前記第二の回動支点軸と第二の凸部とが線上に位置し、第一の凸部が前記線上からずれている増幅リンクとからなるシーソーレバー式扉錠。
【請求項２】
前記連結棒の先端が開閉の状態を示す表示板に接続されている請求項１に記載のシーソーレバー式扉錠。
【考案の詳細な説明】
【技術分野】
【０００１】
本考案は、扉に取り付けられる錠箱内に設けられたデッドボルトやラッチボルトを押釦の操作により進退させて施錠、開錠できるシーソーレバー式扉錠に関する。
【背景技術】
【０００２】
ボタンやノブなどの操作部材を押圧操作してデッドボルトやラッチボルトなどの施錠部材をフロント板から出没させて施錠、開錠する扉錠はたとえば特許文献１に見られるように操作部材と施錠部材との間をカムやリンクにより連結して操作部材の運動を施錠部材の進退運動に変換するように構成されている。
ところで、扉錠は引戸錠に比較して施錠部材の施錠、開錠のために必要な移動範囲が大きいため、操作部材に大きな変位量を必要とするため、シーソーレバーを使用することが困難であった。
【先行技術文献】
【特許文献】
【０００３】
【特許文献１】特開2001-193331号公報
【考案の概要】
【考案が解決しようとする課題】
【０００４】
本考案は、このような問題に鑑みてなされたものであって、その目的とするところはシーソーレバーを操作部材とする扉錠を提供することである。
【課題を解決するための手段】
【０００５】
このような課題を達成するために本考案においては、シーソーレバーの押圧操作により往復摺動する連結棒に係合する複数のリンク機構によりデッドボルトを進退させるシーソーレバー式扉錠であって、前記デッドボルトは後部に進退方向に伸びるとともに後端側が下方となる長穴、もしくは長溝を有し、前記リンク機構が連結棒の移動に平行に追従し、前記デッドボルト側に係合用突起を備えた上下動リンクと、二辺が略「く」の形に配置され角部に第一の回動支点軸を、また各辺にその長手方向に伸びる係合用長溝もしくは係合用長穴を備えた回動リンクと、一端部に第二の回動支点軸を、他端部に前記デッドボルトの長穴、もしくは長溝に係合する第一の凸部を、また前記第二の回動支点軸と第一の凸部との間に前記回動リンクの係合用長溝もしくは係合用長穴に係合する第二の凸部が形成され、前記第二の回動支点軸と第二の凸部とが線上に位置し、第一の凸部が前記線上からずれている増幅リンクとからなる。
【考案の効果】
【０００６】
複数のリンクでシーソーレバーとデッドボルトとを接続したので、軽い押圧力によるシーソーレバーの運動を扉錠の開閉に十分なデッドボルトの変位に増幅することができる。
【図面の簡単な説明】
【０００７】
【図１】本考案のシーソーレバー式扉錠の一実施例を示す分解斜視図。
【図２】図（ａ）〜（ｄ）は、それぞれ各種リンクとデッドボルトの一実施例を示す斜視図。
【図３】図（ａ）（ｂ）は、それぞれ本考案のシーソーレバー式扉錠の開錠状態と施錠状態とを示す図。
【考案を実施するための形態】
【０００８】
そこで以下に本考案の詳細を図に示した実施例に基づいて説明する。
図１は、本考案のシーソーレバー式扉錠の一実施例を示すものであって、扉本体に形成された錠取付穴を塞ぐように室内側に配置される化粧板１には窓２が形成され、ここに端部を押圧可能なシーソーレバー３が配置されている。
【０００９】
このシーソーレバー３は、周知のように中心部を軸等により回動可能に支持されていて二位置のいずれかに停止し、裏面にはシーソーレバー３の回動により端部を結ぶ方向に往復摺動するようにガイド枠４にスライド板（図示せず）が案内れており、さらに対向する化粧板５の側に突出するように連結棒６がこのスライド板に植設されている。
【００１０】
化粧板１に対向し、室外側に配置される他方の化粧板５にはシーソーレバー３の位置に対応して移動して施錠、開錠を表示する表示板７がガイド部材８により移動可能に設けられている。表示板７には連結棒６の先端が挿入される係合穴９が設けられている。いうまでもなく化粧板５には、表示板７の露出窓（図示せず）が形成されている。これら化粧板１、５は、ねじ穴１０，１０に挿通されたボルト１１，１１と、凸部１２、１２のねじ穴とにより一体に扉に固定される。
【００１１】
一方、前板１３の窓１４から進退する施錠部材であるデッドボルト１５は、その後部にその進退方向に伸びるとともに後述する増幅リンク４０の凸部４２の押圧、引上げ力を進退方向の運動に変換するための傾斜した長穴、もしくは長溝１６が形成されている。
またデッドボルト１５は、後述する上下動リンク２０、回動リンク３０、増幅リンク４０とともに半殻構造のケース１７，１８に収容られている。なお、この実施例では一方のケース１７に前記前板１３、及びデッドボルト１５のガイド部１９が一体に形成されている。なお、この実施例において上下、上下方向とは錠が正規に設置された状態での方向、位置関係を指す用語である。
【００１２】
上下動リンク２０（図２（ａ））は、連結棒６の上下動に忠実に追従するように門型の板材２１の中央部に連結棒６が挿入される貫通穴２２が、またデッドボルト１５側に凸部２３が形成されている。
なお、上下動リンク２０は、ケース１７、１８に設けられた上下方向に伸びる細長い凸条２４にもその側面がガイドされている。
【００１３】
回動リンク３０（図２（ｂ））は、二辺が略「へ」の字状に交差した板材の角部にケース１７，１８の凹部に回動可能に係合する回動支点軸３１と、一方の辺には上下動リンク２０の凸部２３と係合するＵ字穴３２と、増幅リンク４０の凸部４３に係合するＵ字穴３３が形成されている。これらＵ字穴３２、３３はこれに係合する凸部２３、３３の運動を有効に伝達するとともに適度の遊びを付与してスムーズな運動を可能にする作用がある。
【００１４】
増幅リンク４０（図２（ｃ））は、一端部にケース１７，１８の凹部に回動可能に係合する回動支点軸４１を、他端部にデッドボルト１５の長穴、もしくは長溝１６の上下壁に係合する凸部４２を、また回動支点軸４１と凸部４２との間に回動リンク３０のＵ字穴３３に係合する凸部４３が形成されている。これら回動支点軸４１と、凸部４２とが線上に位置し、凸部４３がこの線上からずれた位置に存在する。
【００１５】
この実施例において、開錠している状態、つまりデッドボルト１５がケース１７，１８の内部に後退している状態では上下動リンク２０が上方に移動している（図３（ａ））。
この状態でシーソーレバー３の上端側を押圧すると、スライド板により運動変換されて連結棒６がこの実施例では下方に移動する（図３（ｂ））。
【００１６】
これにより回動リンク３０は、回動支点軸３１を中心にＵ字穴３３を上方に向けて回動
する。
回動リンク３０の回動によりこれと係合する増幅リンク４０は、回動支点軸４１を中心に凸部４３が引き上げられ、凸部４２がデッドボルト１５の傾斜した長穴、もしくは長溝１６び下方の壁を押し付ける。デッドボルト１５の長穴、もしくは長溝１６の傾斜の下側方向にデッドボルト１５を移動させる。すなわち、増幅リンク４０はデッドボルト１５の軸方向、つまり移動方向への動きは拘束されているのでデッドボルト１５の方が相対的に移動することになる。
【００１７】
増幅リンク４０の凸部４２は、凸部４３よりも回動支点軸４１からの距離が大きいため、回動リンク３０の回動量、つまりシーソーレバー３の移動量よりも増幅、拡大されるため、デッドボルト１５を施錠状態とするに十分な量だけ突出させることができる。
【００１８】
他方、開錠する場合はシーソーレバー３の下部側を押圧すると、この実施例では連結棒６が上方に移動する（図３（ａ））。これにより回動リンク３０は、回動支点軸３１を中心にＵ字穴３３を下方向に向けて回動させる。
回動リンク３０の回動により、増幅リンク４０は回動支点軸４１を中心に凸部４３が引き寄せられ、凸部４２がデッドボルト１５の傾斜した長穴、もしくは長溝１６の上壁側を押し付けデッドボルト１５を後退方向に引き込む。
【００１９】
増幅リンク４０の凸部４２は、凸部４３よりも回動支点軸４１からの距離が大きいため回動リンク３０の回動量、つまりシーソーレバー３の移動量よりも増幅、拡大されるため、デッドボルト１５を開錠に十分な量だけ後退させることができる。
【００２０】
本実施例においてはリンク同士の結合、連結する凸部の相手側の凹所は、凸部と若干遊びを形成できる程度のサイズに選択されているので、摩擦を減らし、かつ下段側（シーソーレバー側）のリンクから順番に駆動できるため必要な操作力を小さくすることができる。
【符号の説明】
【００２１】
１、５  化粧板    ３  シーソーレバー    ４  ガイド枠    ６  連結棒    ７  開閉表示板    ８  ガイド部材    １３  前板    １５  デッドボルト    １６  長穴（長溝）
１７，１８  半殻構造のケース    ２０  上下動リンク    ２２  貫通穴    ２４  凸条    ３０  回動リンク    ３１  回動支点軸    ４０  増幅リンク    ４１  回動支点軸
【図１】
0003191824.tif 000003
【図２】
0003191824.tif 000004
【図３】
0003191824.tif 000005